(57)【要約】【課題】枠の中空部へ外気が進入する事態をより確実に防止すること。【解決手段】下枠１０に設けられた排水孔１２に装着されるケース２２と、排水孔１２を開閉する状態で支持軸部２１ａを介してケース２２に回転可能に配設された弁体２１とを備える建具用排水装置２０であって、ケース２２には、支持軸部２１ａを回転可能に支持する軸受部２４が設けられ、軸受部２４は、支持軸部２１ａの端面に対向する部分が遮風壁部２４ｂによって覆われている。【選択図】図３
2020114964.tif 000002
【特許請求の範囲】
【請求項１】
枠に設けられた排水孔に装着されるケースと、
前記排水孔を開閉する状態で支持軸部を介して前記ケースに回転可能に配設された弁体と
を備える建具用排水装置であって、
前記ケースには、前記支持軸部を回転可能に支持する軸受部が設けられ、前記軸受部は、前記支持軸部の端面に対向する部分が遮風壁部によって覆われていることを特徴とする建具用排水装置。
【請求項２】
前記軸受部は、前記枠の中空部側に位置する部分が当接突出部によって覆われていることを特徴とする請求項１に記載の建具用排水装置。
【請求項３】
前記ケース及び前記弁体の少なくとも一方には、前記排水孔が閉じられている際に他方に接触することにより前記支持軸部の外周面と前記ケースとの間の隙間を通じた前記枠の中空部と外部との連通を遮断する遮断部材が設けられていることを特徴とする請求項１に記載の建具用排水装置。
【請求項４】
前記遮断部材が前記ケースに設けられていることを特徴とする請求項３に記載の建具用排水装置。
【請求項５】
下枠の室外に臨む部分に排水孔が設けられ、前記排水孔に請求項１〜請求項４のいずれか一つに記載した建具用排水装置が装着されていることを特徴とする建具。
【発明の詳細な説明】
【技術分野】
【０００１】
本発明は、枠に設けられた排水孔に装着される建具用排水装置及び建具に関するものである。
【背景技術】
【０００２】
建具には、枠の中空部に浸入した雨水等の水を外部に排出するための排水孔が設けられているものがある。通常、この排水孔には、枠の中空部に異物が進入するのを防止するとともに、外気が進入するのを防止するため、排水装置が装着されている。この種の排水装置としては、排水孔に装着されるケースと、支持軸部を介してケースに回転可能に配設された弁体とを備えるものが提供されている。支持軸部は、弁体の上部において水平方向に延在したもので、その両端部がケースに設けられた軸受孔の内部に配設されている。この排水装置では、枠の中空部に水が貯留されると、貯留された水によって弁体が押し開かれ、排水孔を通じて外部に排水されることになる（例えば、特許文献１もしくは特許文献２参照）。
【先行技術文献】
【特許文献】
【０００３】
【特許文献１】特開２０１３−８７５６７号公報
【特許文献２】特開２０１６−１４８２０７号公報
【発明の概要】
【発明が解決しようとする課題】
【０００４】
ところで、通常の建具には、室内側に浸入した水を枠の中空部に導入するため、枠の室内側に位置する部分に水抜き孔が設けられている場合が多い。つまり、枠の中空部と室内空間とは、互いに連通された状態にあるため、排水装置を通じて外気が進入すると、進入した外気がそのまま室内空間に到達することになる。このため、建具の気密性能や断熱性能を考慮した場合には、枠の排水孔に装着される建具用排水装置に対して、枠の中空部へ外気が進入する事態を如何に防止できるかが重要な課題となる。
【０００５】
本発明は、上記実情に鑑みて、枠の中空部へ外気が進入する事態をより確実に防止することのできる建具用排水装置及び建具を提供することを目的とする。
【課題を解決するための手段】
【０００６】
上記目的を達成するため、本発明に係る建具用排水装置は、枠に設けられた排水孔に装着されるケースと、前記排水孔を開閉する状態で支持軸部を介して前記ケースに回転可能に配設された弁体とを備える建具用排水装置であって、前記ケースには、前記支持軸部を回転可能に支持する軸受部が設けられ、前記軸受部は、前記支持軸部の端面に対向する部分が遮風壁部によって覆われていることを特徴とする。
【０００７】
また、本発明に係る建具は、下枠の室外に臨む部分に排水孔が設けられ、前記排水孔に上述した建具用排水装置が装着されていることを特徴とする。
【発明の効果】
【０００８】
本発明によれば、軸受部において支持軸部の端面に対向する部分が遮風壁部によって覆われているため、支持軸部の軸方向に沿って外気が枠の中空部に進入するおそれがなくなり、適用する建具の気密性能や断熱性能を向上することができる。
【図面の簡単な説明】
【０００９】
【図１】本発明の実施の形態である排水装置を適用した建具の下枠部分を示す縦断面図である。
【図２】図１に示した建具の下枠を示す要部拡大縦断面図である。
【図３】図１に示した建具の下枠をさらに拡大して示す要部縦断面図である。
【図４】図１に示した建具に適用する排水装置の分解斜視図である。
【図５】図４に示した排水装置において弁体を省略したケースを示すもので、（ａ）は室外側から見た斜視図、（ｂ）は室内側（中空部側）から見た斜視図、（ｃ）は室外側から見た正面図である。
【図６】図４に示した排水装置の分解縦断面図である。
【図７】図４に示した排水装置の縦断面図である。
【図８】図７におけるＺ−Ｚ線断面図である。
【発明を実施するための形態】
【００１０】
以下、添付図面を参照しながら本発明に係る建具用排水装置及び建具の好適な実施の形態について詳細に説明する。
図１は、本発明の実施の形態である排水装置を適用した建具の要部を示すものである。ここで例示する建具は、室内側の内障子１Ａと、室外側の外障子１Ｂとを備えた引き違い窓と称されるものである。本実施の形態では、特に外障子１Ｂよりも室外側となる部分に網戸１Ｃを備えた引き違い窓を例示している。しかしながら、本発明は必ずしも網戸１Ｃが設けられている必要はなく、また片引き窓やすべり出し窓等、その他の可動障子を備えた建具に適用することが可能であり、さらにＦＩＸ窓を備える建具にも適用することは可能である。
【００１１】
枠体の下縁を構成する下枠（枠）１０は、樹脂によって成形した押し出し形材であり、内部に中空部１１を有している。中空部１１は、上方の上壁部１０ａ、下方の底壁部１０ｂ、室内側に配置される内壁部１０ｃ及び室外側に配置される外壁部１０ｄによって囲まれる中空の空間である。中空部１１の内部適宜箇所には、上壁部１０ａ及び底壁部１０ｂの間を連結する補強リブ１０ｅが下枠１０の長手に沿って設けてある。
【００１２】
下枠１０の上面には、互いに平行となる３本のガイドレール１１Ａ，１１Ｂ，１１Ｃが設けてある。ガイドレール１１Ａ，１１Ｂ，１１Ｃは、内障子１Ａ、外障子１Ｂ及び網戸１Ｃをそれぞれ下枠１０の長手に沿って案内するもので、上壁部１０ａの上面から鉛直方向に沿って上方に突出している。以下では便宜上、３本のガイドレール１１Ａ，１１Ｂ，１１Ｃを区別する場合、内障子１Ａのガイドレールを内レール１１Ａ、外障子１Ｂのガイドレールの外レール１１Ｂ、網戸１Ｃのガイドレールを網戸レール１１Ｃと称することとする。
【００１３】
図１〜図３に示すように、下枠１０には、排水孔１２及び水抜き孔１３が設けてある。排水孔１２は、下枠１０の外壁部１０ｄを見込み方向に貫通する切欠であり、外壁部１０ｄの下方となる部分に形成してある。図には明示していないが、本実施の形態では、室外側から見た場合に横長の矩形状を成すように排水孔１２が設けてある。
【００１４】
ここで、見込み方向とは、図中の矢印Ａで示すように、建具の奥行きに沿った方向である。見込み方向に沿った面については見込み面と称する場合がある。また、本実施の形態では便宜上、見付け方向という用語も用いる。見付け方向とは、下枠１０等のように水平方向に沿って延在するものの場合、見込み方向に直交した上下に沿う方向である。図には示していないが、縦枠等のように上下方向に沿って延在するものの場合には、見込み方向に直交した水平に沿う方向を見付け方向という。見付け方向に沿った面については、見付け面と称する場合がある。
【００１５】
水抜き孔１３は、下枠１０の上壁部１０ａを上下方向に貫通する切欠であり、室内空間となる部分に開口するように形成してある。室内空間とは、閉じた位置に配置される内障子１Ａ及び外障子１Ｂよりも室内側に位置する部分である。つまり、内障子１Ａが配置される部分においては内レール１１Ａよりも室内側が室内空間であり、外障子１Ｂが配置される部分においては外レール１１Ｂよりも室内側が室内空間となる。図からも明らかなように、補強リブ１０ｅには、水抜き孔１３と排水孔１２との間を連通するように連通孔１４が適宜箇所に設けてある。
【００１６】
下枠１０の排水孔１２には、排水装置２０が装着してある。排水装置２０は、排水孔１２を開放した状態と閉塞した状態とに切り換えるためのもので、図４〜図８に示すように、弁体２１と、弁体２１を収容するケース２２とを備えて構成してある。
【００１７】
弁体２１は、円柱状を成す支持軸部２１ａと、支持軸部２１ａの外周面から径方向に延在した弁本体２１ｂとを一体に成形したものである。図からも明らかなように、弁本体２１ｂは、外形が略矩形の板状を成すもので、支持軸部２１ａに近接した部分よりも支持軸部２１ａから離隔した部分が肉厚となるように構成してある。支持軸部２１ａは、軸方向に沿った寸法が弁本体２１ｂの左右方向に沿った寸法よりも大きく構成してあり、弁本体２１ｂの両端面からそれぞれ同じ寸法だけ突出している。弁本体２１ｂにおいて室内側に対向する面は、後述する側方弁座２３に対応する部分が平坦となるように構成してある。弁本体２１ｂにおいて側方弁座２３を超える先端縁部分は、室内側に向けてわずかに屈曲した下方対向面２１ｂ１を構成している。
【００１８】
ケース２２は、排水孔１２に挿入される挿入体２２１と、排水孔１２の周囲において下枠１０の室外に臨む見付け面に当接するカバー体２２２とを有したものである。これら挿入体２２１及びカバー体２２２の中央部には、見込み方向に沿って排水通路２２３が貫通している。本実施の形態では、挿入体２２１及びカバー体２２２を樹脂によって一体に成形したケース２２を例示している。
【００１９】
挿入体２２１は、排水孔１２の上縁に沿って配置される上縁部２２１ａと、排水孔１２の左右両側縁に沿って配置される２つの側縁部２２１ｂとを有して構成してある。挿入体２２１の下縁となる部分は、排水孔１２に挿入した際に下枠１０の外壁部１０ｄを位置させるために開放してある。上縁部２２１ａ及び２つの側縁部２２１ｂには、それぞれの外周となる部分に係合片２２４が設けてある。これらの係合片２２４は、挿入体２２１が室外側から下枠１０の排水孔１２に挿入された場合に外壁部１０ｄの内面に係合することにより、外壁部１０ｄからの脱落を制限するものである。本実施の形態では、上縁部２２１ａに２つ係合片２２４が設けてあり、側縁部２２１ｂにそれぞれ１つずつ係合片２２４が設けてある。このうち、左右の係合片２２４は、弾性的に内方に撓めることが可能である。従って、左右の係合片２２４を内方に撓めれば、外壁部１０ｄとの係合状態が解除されるため、排水孔１２から挿入体２２１を引き抜くことが可能となる。２つの側縁部２２１ｂの相互間隔は、弁本体２１ｂの左右方向に沿った寸法よりも大きく構成してある。
【００２０】
カバー体２２２は、上カバー部２２２ａ、下カバー部２２２ｂ及び左右の縦カバー部２２２ｃを有した矩形の枠状を成すもので、排水孔１２よりも大きな外形寸法を有するように構成してある。これら上カバー部２２２ａ、下カバー部２２２ｂ及び左右の縦カバー部２２２ｃにおいて下枠１０の見付け面に対向する部分には、同一の平面上に位置するように当接面２２５が構成してある。図からも明らかなように、カバー体２２２における縦カバー部２２２ｃの相互間隔は、２つの側縁部２２１ｂの相互間隔と同一の寸法となるように構成してある。下カバー部２２２ｂは、その上面が挿入体２２１における側縁部２２１ｂの下端よりも下方に位置するように構成してある。このケース２２には、左右の側方弁座２３、左右の軸受部２４、上方の遮断部材２５が設けてある。
【００２１】
側方弁座２３は、排水通路２２３の内部に弁本体２１ｂを配置した場合に、弁本体２１ｂの両側縁部２２１ｂに当接する部分であり、２つの側縁部２２１ｂから排水通路２２３に突出するように設けてある。図からも明らかなように、本実施の形態では、下方に向かうに従って漸次室外側となるように傾斜した側方弁座２３を設けるようにしている。側方弁座２３の下方部には、当接面２２５と同一の平面上となる鉛直対向面２３ａが構成してある。
【００２２】
軸受部２４は、側方弁座２３に対して弁本体２１ｂを当接させた場合に弁体２１における支持軸部２１ａの両端部が収容される部分である。本実施の形態では、縦カバー部２２２ｃの内面から側縁部２２１ｂの内面にわたる部分の上方部に見込み方向に延在する軸受溝２４Ｇを形成することにより、その室内側に位置する端部に軸受部２４を構成するようにしている。軸受溝２４Ｇは、室内側に位置する部分が支持軸部２１ａの外径よりもわずかに大きな一定の幅を有する一方、室外側に位置する部分が室外に向けて漸次幅が増大するように構成してある。軸受溝２４Ｇの室外側に位置する端部は、見込み方向に沿って開放している。軸受溝２４Ｇの室内側に位置する端部は、側縁部２２１ｂから突出するように設けた当接突出部２４ａによって閉塞してある。すなわち、軸受部２４を構成する軸受溝２４Ｇは、排水通路２２３に対向する内面及び室外側に位置する端部のみが開放したものであり、室内側に位置する端部が当接突出部２４ａによって閉塞され、かつ支持軸部２１ａの端面に対向する部分が、軸受溝２４Ｇの内底面である遮風壁部２４ｂによって閉塞された状態にある。遮風壁部２４ｂの相互間隔は、支持軸部２１ａの両端面が同時に遮風壁部２４ｂに当接することがないように、支持軸部２１ａの全長よりもわずかに大きくなるように設定してある。
【００２３】
遮断部材２５は、上縁部２２１ａから下方に向けて突出した部分であり、両側の側縁部２２１ｂの間にわたって形成してある。この遮断部材２５は、下縁部が室外に向けて突出しており、軸受部２４に弁体２１の支持軸部２１ａを配置した場合に下縁部を介して支持軸部２１ａの外周面に当接することが可能である。なお、図中の符号２６は、弁体２１の支持軸部２１ａが軸受部２４に配置された場合に支持軸部２１ａの室外側に位置する外周面に対向する脱落防止突起である。本実施の形態では、支持軸部２１ａの２箇所に対向するように２つの脱落防止突起２６が設けてある。上述した遮断部材２５は、支持軸部２１ａの全長にわたって当接することが好ましい。しかしながら、脱落防止突起２６がアンダーカットとなるため、成形上の理由により、図示の例では脱落防止突起２６に対応する部分については遮断部材２５が設けられていない。
【００２４】
上記のように構成した排水装置２０では、ケース２２の軸受部２４に弁体２１の支持軸部２１ａを配置すると、すなわち、室外側から挿入した弁体２１の支持軸部２１ａを軸受溝２４Ｇの室内側に位置する端部に配置すると、軸受溝２４Ｇの下方に位置する内側面２４Ｇａ及び当接突出部２４ａに対して支持軸部２１ａの外周面が当接することにより、支持軸部２１ａの軸心を中心として弁本体２１ｂが回転可能に支持される。このとき、軸受部２４を構成する軸受溝２４Ｇの幅が支持軸部２１ａの外径よりも大きく構成してあるため、ケース２２に対する弁体２１の良好な回転動作性を確保することができる。従って、排水装置２０を下枠１０に装着した姿勢に配置すれば、弁体２１は、自重によって弁本体２１ｂの両側縁部２２１ｂが側方弁座２３に当接した状態に維持されることになる。
【００２５】
この排水装置２０を下枠１０の排水孔１２に装着すべく、挿入体２２１を排水孔１２に挿入すると、カバー体２２２の当接面２２５が下枠１０の外壁部１０ｄに当接した状態で係合片２２４が係合し、下枠１０からの脱落が制限される。排水装置２０が装着された下枠１０においては、排水孔１２の開口周縁部がカバー体２２２によって覆われた状態となり、排水孔１２の開口端面が外部から視認されるおそれがなくなるため、外観品質の点で有利となる。
【００２６】
またこのとき、図３に示すように、挿入体２２１における側縁部２２１ｂの下面に対して排水孔１２の下縁に位置する開口端面が当接するため、下枠１０の外壁部１０ｄにおいて排水孔１２よりも下方に位置する部分が下カバー部２２２ｂの上面を超えて上方に突出し、弁本体２１ｂの下方対向面２１ｂ１に対して近接した状態で対向することになる。つまり、排水装置２０を装着した下枠１０においては、弁体２１が閉じた状態にある場合、弁本体２１ｂの両側縁部２２１ｂが側方弁座２３に当接し、かつ弁本体２１ｂの下方対向面２１ｂ１が鉛直対向面２３ａ及び外壁部１０ｄに対して近接して対向配置されることになり、弁本体２１ｂとケース２２との間において室外側から室内側へ連通する隙間がほぼゼロとなる。一方、支持軸部２１ａに対しては、軸受部２４において軸受溝２４Ｇの下方に位置する内側面２４Ｇａ及び室内側に位置する当接突出部２４ａが当接するため、加えて軸受溝２４Ｇにおいて支持軸部２１ａの端面に対向する部分が遮風壁部２４ｂによって覆われているため、支持軸部２１ａと軸受部２４との間において室外側から室内側へ連通する隙間もほぼゼロとなる。これらの結果、排水装置２０を通じて外気が下枠１０の中空部１１に進入する事態が防止され、中空部１１から水抜き孔１３を通じて室内に外気が進入する事態を招来するおそれもなくなる。
【００２７】
因に、雨水等の水が障子１Ａ，１Ｂを超えて室内空間に浸入したとしても、浸入した水が下枠１０に到達した時点で水抜き孔１３から中空部１１へ排出されることになる。さらに下枠１０の中空部１１へ排出された水は、補強リブ１０ｅに設けた連通孔１４を通じて順次室外側に移動する。その後、下枠１０の中空部１１に貯留された水が一定量を超えると、弁体２１がその自重に抗して押し開かれることになり、排水通路２２３を通じて室外に排水される。水が排出された後においては、自重によって再び弁体２１が閉じた状態に復帰するため、外気が進入する事態を招来するおそれはない。
【００２８】
なお、上述した実施の形態では、ケース２２に遮断部材２５を設けるようにしているため、排水通路２２３の上部において支持軸部２１ａの外周面とケース２２との隙間を介して室外側から室内側へ外気が進入する事態をも確実に防止することが可能である。しかしながら、本発明はこれに限定されず、遮断部材２５は必ずしも設ける必要はない。遮断部材２５を設ける場合に上述した実施の形態では、ケース２２に設けるようにしているため、弁体２１の重量が大きくならず、その回転動作性を損なうおそれがないが、弁体２１に遮断部材を設けることも可能である。
【００２９】
また、上述した実施の形態では、樹脂製の下枠１０に排水装置２０を装着する建具を例示しているが、アルミニウム合金等の金属によって成形された枠に排水装置２０を装着するようにしても良い。さらに、実施の形態では、網戸レール１１Ｃに設けられた排水孔１１２にも排水装置２０を装着するようにしているため、外観品質の点で一層有利となるが、網戸レール１１Ｃの排水孔１１２には必ずしも排水装置２０を装着する必要はない。
【００３０】
さらに、上述した実施の形態では、支持軸部２１ａの端面に対向する遮風壁部２４ｂをケース２２と一体に成形しているが、本発明は必ずしもこれに限定されない。例えば支持軸部の端面に対向する部分が開放した軸受孔を軸受部として適用する場合には、軸受孔に支持軸部を配置した後、蓋状の遮風壁部によって軸受孔の開口を閉塞するようにしても良い。この場合には、軸受孔を貫通するように支持軸部を挿入することでケースに弁体を配設することが可能となるため、軸受溝を設ける必要はない。
【００３１】
以上のように、本発明に係る建具用排水装置は、枠に設けられた排水孔に装着されるケースと、前記排水孔を開閉する状態で支持軸部を介して前記ケースに回転可能に配設された弁体とを備える建具用排水装置であって、前記ケースには、前記支持軸部を回転可能に支持する軸受部が設けられ、前記軸受部は、前記支持軸部の端面に対向する部分が遮風壁部によって覆われていることを特徴としている。
【００３２】
この発明によれば、軸受部において支持軸部の端面に対向する部分が遮風壁部によって覆われているため、支持軸部の軸方向に沿って外気が枠の中空部に進入するおそれがなくなる。
【００３３】
また本発明は、上述した建具用排水装置において、前記軸受部は、前記枠の中空部側に位置する部分が当接突出部によって覆われていることを特徴としている。
【００３４】
この発明によれば、軸受部において枠の中空部側に位置する部分が当接突出部によって覆われているため、軸受部を通じて枠の中空部に外気が進入することがない。
【００３５】
また本発明は、上述した建具用排水装置において、前記ケース及び前記弁体の少なくとも一方には、前記排水孔が閉じられている際に他方に接触することにより前記支持軸部の外周面と前記ケースとの間の隙間を通じた前記枠の中空部と外部との連通を遮断する遮断部材が設けられていることを特徴としている。
【００３６】
この発明によれば、支持軸部の外周面とケースとの隙間を通じた外気の進入が抑えられる。なお、遮断部材は、弁体が開いたときに他方に対して離隔している必要はなく、常時接触するように設けても良い。
【００３７】
また本発明は、上述した建具用排水装置において、前記遮断部材が前記ケースに設けられていることを特徴としている。
【００３８】
この発明によれば、弁体の重量が増大することがなく、弁体の開閉動作に影響を及ぼすおそれがない。
【００３９】
また、本発明に係る建具は、下枠の室外に臨む部分に排水孔が設けられ、前記排水孔に上述した建具用排水装置が装着されていることを特徴としている。
【００４０】
この発明によれば、軸受部において支持軸部の端面に対向する部分が遮風壁部によって覆われているため、支持軸部の軸方向に沿って外気が枠の中空部に進入するおそれがなくなり、室内へ外気が進入する事態を防止することが可能となる。
【符号の説明】
【００４１】
１０  下枠、１１  中空部、１２  排水孔、２０  排水装置、２１  弁体、２１ａ  支持軸部、２１ｂ  弁本体、２２  ケース、２４  軸受部、２４ａ  当接突出部、２４ｂ  遮風壁部、２５  遮断部材
【図１】
2020114964.tif 000003
【図２】
2020114964.tif 000004
【図３】
2020114964.tif 000005
【図４】
2020114964.tif 000006
【図５】
2020114964.tif 000007
【図６】
2020114964.tif 000008
【図７】
2020114964.tif 000009
【図８】
2020114964.tif 000010